(57)【要約】【課題】上かご及び下かごの少なくとも一方が着床ゾーンを逸脱して着床した場合においても着床ゾーン内に収まるように着床位置を確実に補正できるダブルデッキエレベータを提供する。【解決手段】ダブルデッキエレベータ１０は、昇降路１２に対する上かご４０及び下かご４２の絶対位置を検出する磁気スケール６０を備え、主制御装置７０は、両かご４０，４２の少なくとも一方の上下方向位置が目的階における着床ゾーンを逸脱している場合に、磁気スケール６０の検出する両かご４０，４２の上下方向位置に基づいて両かご４０，４２の着床位置が着床ゾーン内に収まるよう巻上機２０を駆動して両かご４０，４２の着床位置を補正するかご位置補正運転を実行する。【選択図】図１
2019167200.tif 000002
【特許請求の範囲】
【請求項１】
主ロープを用いて巻上機に昇降可能に吊り下げられた外かご枠と、前記外かご枠に設置されたかご間隔調整手段によって上下方向の間隔を調整可能に構成された上かご及び下かごと、前記外かご枠を目標停止位置まで昇降路内を昇降させることにより両かごが各々の目的階のかご扉の開閉が可能な着床ゾーン内に着床するよう前記巻上機の駆動を制御する制御部と、を備えるダブルデッキエレベータであって、
前記両かごの前記昇降路に対する上下方向位置を各々検出するかご位置検出手段を備え、
前記制御部は、前記両かごのうち少なくとも一方の上下方向位置が前記目的階における前記着床ゾーンを逸脱している場合に、前記かご位置検出手段の検出する前記両かごの上下方向位置に基づいて前記両かごの着床位置が前記着床ゾーン内に収まるよう前記巻上機を駆動して前記両かごの着床位置を補正するかご位置補正運転を実行することを特徴とする、
ダブルデッキエレベータ。
【請求項２】
前記制御部は、前記かご位置補正運転を実行するときに前記両かごの上下方向の間隔を前記かご間隔調整手段によって補正する、
請求項１に記載のダブルデッキエレベータ。
【請求項３】
前記制御部は、前記かご位置検出手段から出力される一群のかご位置データに基づいて上下に振動する前記両かごの振動中心位置を割り出すことにより前記両かごの上下方向位置を推定する、
請求項１または２に記載のダブルデッキエレベータ。
【発明の詳細な説明】
【技術分野】
【０００１】
本発明は、ダブルデッキエレベータに関し、特に、外かご枠に上かごと下かごとが設けられたダブルデッキエレベータに関する。
【背景技術】
【０００２】
昇降路内を昇降する外かご枠に設置された上かごと下かごとで構成とされるダブルデッキエレベータは、単一のかごによって構成されるエレベータよりも乗員の輸送力に優れ、同等の輸送力を得るための設置スペースが少なくてすむという利点がある。このため、大規模高層建物への導入が進められている。
【０００３】
上述した外かご枠は、釣合重りと主ロープで連結されており、この主ロープは昇降路上部に設置された巻上機の駆動シーブ（綱車）に掛け渡されている。そして、巻上機を構成する巻上機モータを駆動して駆動シーブを回転させ、両かごを各々の目的階の着床ゾーン内に着床させるよう構成されている。「着床ゾーン」とは、乗場床の高さに対してかご床に許容される上下方向のずれ（段差）の範囲を意味し、着床ゾーン内に両かご各々が着床することを条件にかご扉の開閉が可能な状態となる。
【０００４】
また、１階は天井の高いエントランスホールで、他の階は１階よりも天井の低いオフィスフロアというように階高に不揃いがある場合もある。このように階高に不揃いのある建物にダブルデッキエレベータを設置する場合には、上かごと下かごの間隔を着床する上下二つの階の階高に合わせて調整するかご間隔調整手段を設ける必要もある。
【０００５】
特許文献１には、外かご枠上方に設置されたシーブに掛け渡されたかご間隔調整ロープの一端側を上かご底面に設けられた複数の滑車に掛けてから外かご枠の上部に固定することで上かごを吊り下げ、同様に、当該ロープの他端側を用いて下かごを吊り下げ、当該シーブをモータによって回転駆動することで両かごを相対的に上下動させてかご間隔を調整可能としたダブルデッキエレベータが開示されている。
【０００６】
ところで、目的階に両かごを着床させるために駆動シーブの回転角を検出するエンコーダからの出力が参照される。すなわち、出発階から目的階までの距離に相当する分の目標回転角が出力されたところで巻上機モータが停止され電磁ブレーキによって駆動シーブの回転が制動されることとなる。
【０００７】
しかしながら、駆動シーブが正確に上記目標回転角だけ回転し着床ゾーン内にかごが停止したとしても、例えば、多数の乗客が一度に乗降したり、或いは、かご内で乗客が飛び跳ねるなどの外的要因に起因して主ロープやかご間隔調整ロープが伸縮して着床ゾーンを逸脱してかごが着床し、かご床と乗場床との間に許容範囲を超える段差が生じてしまう場合がある。
【０００８】
この点に関して、特許文献１のダブルデッキエレベータでは、昇降路壁面に設置された位置決め板をかごに設置されたかご枠位置検出装置に検出させることで着床位置のずれを補正する着床位置のずれ防止機構が開示されている。
【先行技術文献】
【特許文献】
【０００９】
【特許文献１】特開２０１４−１３６６３６号公報
【発明の概要】
【発明が解決しようとする課題】
【００１０】
しかしながら、上記特許文献１に記載の着床位置のずれ防止機構では、かごに設置されたかご枠位置検出装置が昇降路壁面の位置決め板を検出できる範囲にかごが着床していないと着床位置の補正を行うことができない。このため、上述した外的要因などに起因して着床ゾーンを逸脱した状態でかごが目的階に着床したときには、かご枠位置検出装置が位置決め板を検出することができず着床位置の補正を行うことができない場合が起こり得る。
【００１１】
本発明では、上かご及び下かごの少なくとも一方が着床ゾーンを逸脱して着床した場合においても着床ゾーン内に収まるように着床位置を確実に補正できるダブルデッキエレベータを提供することを目的とする。
【課題を解決するための手段】
【００１２】
本発明のダブルデッキエレベータは、主ロープを用いて巻上機に昇降可能に吊り下げられた外かご枠と、外かご枠に設置されたかご間隔調整手段によって上下方向の間隔を調整可能に構成された上かご及び下かごと、外かご枠を目標停止位置まで昇降路内を昇降させることにより両かごが各々の目的階のかご扉の開閉が可能な着床ゾーン内に着床するよう巻上機の駆動を制御する制御部と、を備えるダブルデッキエレベータであって、両かごの昇降路に対する上下方向位置を各々検出するかご位置検出手段を備え、制御部は、両かごのうち少なくとも一方の上下方向位置が目的階における着床ゾーンを逸脱している場合に、かご位置検出手段の検出する両かごの上下方向位置に基づいて両かごの着床位置が着床ゾーン内に収まるよう巻上機を駆動して両かごの着床位置を補正するかご位置補正運転を実行することを特徴とする。
【００１３】
本発明のダブルデッキエレベータにおいて、制御部は、かご位置補正運転を実行するときに両かごの上下方向の間隔をかご間隔調整手段によって補正してもよい。
【００１４】
また、本発明のダブルデッキエレベータにおいて、制御部は、かご位置検出手段から出力される一群のかご位置データに基づいて上下に振動する両かごの振動中心位置を割り出すことにより両かごの上下方向位置を推定してもよい。
【発明の効果】
【００１５】
本発明のダブルデッキエレベータによれば、両かごのうち少なくとも一方が着床ゾーンを逸脱して着床している場合に、両かごの昇降路に対する上下方向位置に基づいて着床ゾーン内に収まるように着床位置を補正する。このため、両かごのうち少なくとも一方が目的階の着床ゾーンを逸脱して着床した場合でも両かごの着床位置が着床ゾーン内に収まるように確実に補正することができる。
【図面の簡単な説明】
【００１６】
【図１】本発明の第１実施形態であるダブルデッキエレベータの概略構成図である。
【図２】図２（ａ）は、着床位置検出装置を構成する遮光板と４個のフォトセンサの概略構成を示す斜視図である。図２（ｂ）は、フォトセンサの概略構成を示す平面図である。
【図３】図１に含まれる巻上機および巻上機等を制御する主制御装置、並びに、モータ等を制御する副制御装置の構成を示すブロック図である。
【図４】図４（ａ）は、主制御装置のＲＯＭに記録されている昇降テーブルを示す図である。図４（ｂ）は、副制御装置のＲＯＭに記録されているかご間隔調整テーブルを示す図である。図４（ｃ）は、副制御装置のＲＡＭに記録されている上かご位置記憶領域および下かご位置記憶領域を示す図である。
【図５】図１に示す主制御装置が実行するかご位置補正運転制御の流れを示すフローチャートである。
【図６】本発明の第２実施形態であるダブルデッキエレベータの概略構成図である。
【発明を実施するための形態】
【００１７】
以下、本発明の一実施形態であるダブルデッキエレベータについて、図面を参照しながら説明する。第１実施形態のダブルデッキエレベータ１０は、図１に示すように、昇降路１２の直上方の機械室１４に設置された巻上機２０と、この巻上機２０の駆動シーブ２２Ａとそらせ車２４に掛け渡された主ロープ２６とを備える。また、ダブルデッキエレベータ１０は、主ロープ２６の両端に各々吊り下げられた釣合重り２８と外かご枠３０とを備える。外かご枠３０は、上梁３２、下梁３４および両梁３２，３４を連結する２つの立枠３６Ａ，３６Ｂを含み、正面視で、縦方向に（上下方向に）長い略長方形状の外形を呈する。外かご枠３０の枠内には、上梁３２および下梁３４の間に設置された一対のガイドレール（不図示）により上下方向に移動自在に案内される上かご４０および下かご４２が上下方向に並んで設けられている。
【００１８】
また、図１に示すように、外かご枠３０の上部には、かご位置調整モータ４７Ｂによって回転駆動されるかご位置調整シーブ４７Ａが取り付けられている。そして、このかご位置調整シーブ４７Ａには、かご間隔調整ロープ（かご間隔調整手段）４９が掛け渡されており、当該ロープ４９の一端は上かご４０に連結され、他端は下かご４２に連結される。この構成により、かご位置調整シーブ４７Ａの回転に伴って両かご４０，４２が相対的に上下動して目的階間の階高に合致するようかご間隔の調整がなされる。
【００１９】
上かご４０及び下かご４２は、乗員の重量を検知する重量センサ４０Ａ，４２Ａと、着床位置を検出する着床位置検出装置４４，４６を各々有している。各着床位置検出装置４４，４６の構成は同一であるため、上かご４０に設けられている着床位置検出装置４４について主に説明し、着床位置検出装置４６については必要に応じて言及するにとどめることとする。着床位置検出装置４４は、各階の乗場ごとに予め設定されている着床ゾーンを示すために昇降路１２の壁面に設置された遮光板Ｗ１を検出する役割を有する。「着床ゾーン」とは、乗場床の高さ（以下、基準着床位置と呼ぶ）に対してかご床４０Ｆ，４２Ｆに許容される上下方向のずれの範囲をいう。そして、目的階に停止したときに両かご４０，４２のかご床４０Ｆ，４２Ｆが着床ゾーンの範囲内にあることを条件にかご扉（不図示）の開閉動作が可能となる。
【００２０】
着床位置検出装置４４は、図２（ａ）に示すように、４つの透過型のフォトセンサ４５Ａ，４５Ｂ，４５Ｃ，４５Ｄを所定の間隔で上下方向に並べて構成される。各フォトセンサ４５Ａ〜４５Ｄは不図示のフレームを介して上かご４０に取り付けられている。フォトセンサ４５は、いずれも同じ構成であるため、これらを区別する必要がない場合は、アルファベット（Ａ，Ｂ，Ｃ，Ｄ）の添え字を省略して説明する。
【００２１】
透過型フォトセンサ４５は、図２（ｂ）に示すように発光素子４５−１と、受光素子４５−２とが対向して設けられており、発光素子４５−１からの出射光を受光素子４５−２が受光している状態をＯＦＦ状態として、受光していない状態をＯＮ状態として検出する。そして、着床位置検出装置４４の４個のフォトセンサ４５が全てＯＮ状態であれば上かご４０のかご床４０Ｆが着床ゾーン内にあると判定されかご扉（不図示）が開かれることとなる。同様に、着床位置検出装置４６においても４個のフォトセンサが全てＯＮ状態であれば下かご４２のかご床４２Ｆが着床ゾーン内にあると判定されかご扉（不図示）が開かれることとなる。
【００２２】
一方、上かご４０のかご床４０Ｆが基準着床位置から例えば１０ｍｍを超えて下がるとフォトセンサ４５ＤがＯＦＦ状態となり、かご床４０Ｆが基準着床位置から例えば１０ｍｍを超えて上がるとフォトセンサ４５ＡがＯＦＦ状態となる。下かご４２のかご床４２Ｆが基準着床位置から例えば１０ｍｍを超えて上下にずれた場合もかご床４０Ｆの場合と同様に着床位置検出装置４６のフォトセンサが各々ＯＦＦ状態となる。
【００２３】
すなわち、本実施形態において、基準着床位置を基準として着床ゾーンは上下方向に±１０ｍｍの範囲に設定されている。そして、両かご４０，４２が各々着床ゾーン内に着床していない場合には、巻上機２０を起動して外かご枠３０を上昇または下降させて着床位置検出装置４４，４６をそれぞれ構成する全てのフォトセンサがＯＮ状態となるまでかご扉（不図示）は開かれない。
【００２４】
また、図１に示すように、外かご枠３０には、上述した着床位置検出装置４４と同様の構成を有する停止位置検出装置５２が設けられている。この停止位置検出装置５２は、両かご４０，４２を各々の目的階に着床させる際に外かご枠３０が停止すべき目標停止位置を示す遮光板Ｗ２を検出する機能を有する。
【００２５】
ダブルデッキエレベータ１０は、図１に示すように、両かご４０，４２の昇降路１２における絶対位置を検出するかご位置検出手段として磁気スケール６０を備えている。この磁気スケール６０は、昇降路１２の頂部からピットに至る間の絶対位置（距離）情報を、例えば、０．５ｍｍの分解能で、磁気パターン（磁気目盛り）として記録した磁気テープ６２と、磁気テープ６２から磁気目盛りを読み取る２台の読取ユニット６４，６６を有する。この磁気スケール６０には、例えば、エルゴエレクトロニク株式会社製の「アブソリュート磁気スケール  ＬＩＭＡＸシリーズ」など、公知のものを用いることができる。
【００２６】
磁気テープ６２は、昇降路１２の壁面に、長さ方向が上下方向となるように取り付けられている。本例では、昇降路１２の頂部とピットの間に張架されている。この張架の態様としては、例えば、磁気テープ６２の上端を、昇降路１２の天井に固定された支持ブラケット（不図示）に固定する一方、磁気テープ６２の下端を昇降路１２のピットに固定された支持ブラケット（不図示）または、同ブラケットと引張コイルばね（不図示）で連結して、磁気テープ６２に一定の張力が掛かった状態で掛け渡すことが考えられる。
【００２７】
また、引張コイルばねに代えて、磁気テープ６２の下端に錘（不図示）を吊り下げることにより、一定の張力が掛かった状態で磁気テープ６２を取り付けるようにしても構わない。
【００２８】
本実施形態において、磁気テープ６２は、目盛りが下から上に目盛られた状態となる向き（すなわち、上側程、目盛りの値が大きくなる向き）に取り付けられている。なお、磁気テープ６２を昇降路１２に取り付ける向きは、この逆であっても構わない。
【００２９】
図１に示すように、読取ユニット６４は上かご４０に固定され、もう一方の読取ユニット６６は下かご４２に固定される。読取ユニット６４，６６各々の上かご４０、下かご４２に対する固定位置は、上かご４０と下かご４２がかご位置調整シーブ４７Ａの回転に伴って相対的に上下動するとき、及び、両かご４０，４２が外かご枠３０の昇降に伴って上下動するときに読取ユニット６４，６６各々が磁気テープ６２に沿って移動でき磁気テープ６２に記録された磁気目盛りを読み取ることができるような位置であれば構わない。
【００３０】
上記のようにして設けられた磁気スケール６０において、読取ユニット６４で読み取られる磁気目盛りの値が、読取時における上かご４０の昇降路１２に対する上下方向の絶対位置を指標し、読取ユニット６６で読み取られる磁気目盛りの値が、読取時における下かご４２の昇降路１２に対する上下方向の絶対位置を指標する。すなわち、磁気スケール６０によって、上かご４０と下かご４２の昇降路１２に対する上下方向の絶対位置を検出することができる。
【００３１】
また、図１に示すように、各読取ユニット６４，６６は、上かご４０のかご床４０Ｆと下かご４２のかご床４２Ｆからそれぞれ同じ高さに固定される。このため、両読取ユニット６４，６６が読み取った磁気目盛りの値（以下「目盛値」という。）の差分は、両かご４０，４２の間隔Ｄを示すこととなる。
【００３２】
上記構成を有するダブルデッキエレベータ１０は、主制御装置７０と副制御装置８０とによって、運転制御等がなされる。主制御装置７０は、機械室１４に設置されており、巻上機２０などの駆動制御や上かご４０、下かご４２各々のかご扉（不図示）の開閉制御等を行う。
【００３３】
主制御装置７０は、巻上機２０に含まれる巻上機モータ２２Ｂの出力軸に取り付けられたロータリエンコーダ２２Ｃ（図３参照）からの出力値（回転角）に基づき、巻上機モータ２２Ｂを回転制御して、外かご枠３０を昇降させる。
【００３４】
主制御装置７０は、例えば、図３に示すように、ＣＰＵ７２にＲＯＭ７４やＲＡＭ７６が接続された構成を有している。ＲＯＭ７４は、図４（ａ）に示すように、昇降テーブル７４０を有する。昇降テーブル７４０は、両かご４０，４２が同時に着床する階（目的階）の組毎に設定されたＩＤ番号（ＩＤ＝００１，００２，００３，…）に、ロータリエンコーダ２２Ｃの目標回転角（Ｅ１，Ｅ２，Ｅ３，…）、両かご４０，４２各々の上述した目盛値（ＵＸ１，ＵＸ２，ＵＸ３，…、ＬＸ１，ＬＸ２，ＬＸ３，…）を関連付けて記憶したテーブルである。
【００３５】
目標回転角（Ｅ１，Ｅ２，Ｅ３，…）は、外かご枠３０の昇降制御において、ＣＰＵ７２により参照される。ＣＰＵ７２は、ロータリエンコーダ２２Ｃからの出力値（回転角）が、両かご４０，４２の目的階の組合せに対応するＩＤ番号の目標回転角（Ｅ１，Ｅ２，Ｅ３，…）と一致するまで、巻上機モータ２２Ｂを回転駆動させ、一致した状態で巻上機モータ２２Ｂを停止させるとともに電磁ブレーキ（不図示）を作動させる。これにより、外かご枠３０は、昇降路１２内の上下方向において、上かご４０と下かご４２とが各々の目的階に同時着床する位置（目標停止位置）に停止することとなる。
【００３６】
昇降テーブル７４０における目標回転角および目盛値の各々は、データ取得運転の際に記録される。データ取得運転では、両かご４０，４２に乗客や荷物の積載がない状態で、実際に外かご枠３０を昇降させ、両かご４０，４２のかご床４０Ｆ，４２Ｆの位置が各階の基準着床位置に一致するとともに、外かご枠３０が目標停止位置に一致する状態のときにロータリエンコーダ２２Ｃが出力する各出力値（回転角）を昇降テーブル７４０に目標回転角（Ｅ１、Ｅ２、Ｅ３、…）として記録する。そして、この際、両かご４０，４２の読取ユニット６４，６６によって各々読み取られた磁気スケール６０の絶対位置を目盛値（ＵＸ１，ＵＸ２，ＵＸ３，…、ＬＸ１，ＬＸ２，ＬＸ３，…）として各々記録する。
【００３７】
主制御装置７０は、ＲＯＭ７４に格納された各種制御プログラムを実行することにより、巻上機モータ２２Ｂを統括的に制御して、外かご枠３０（上かご４０、下かご４２）の昇降路１２における円滑な昇降動作等を実現する。ＲＡＭ７６は、主制御装置７０が各種制御プログラムを実行するために使用されるワークメモリとなる。主制御装置７０は、両かご４０，４２が各々の目的階の着床ゾーン内に着床してかご扉（不図示）を開いた後、主ロープ２６や、かご間隔調整ロープ４９が伸縮して少なくとも一方のかごが着床ゾーンを逸脱する、いわゆる「レベルずれ」の発生を着床位置検出装置４４，４６によって検知すると後述するかご位置補正運転を実行する。また、主制御装置７０は、副制御装置８０に対し、所定のタイミングで後述する「かご間隔調整指令」等の種々の実行指令等を出す。
【００３８】
副制御装置８０は、図１に示すように、外かご枠３０に設置される。副制御装置８０は、外かご枠３０を昇降する巻上機モータ２２Ｂと、両かご４０，４２を相対的に昇降させるかご位置調整モータ４７Ｂとが同時に回転駆動された状態でかご扉（不図示）が開かれることにより生じる加速的な戸開走行を防止するため、主制御装置７０によって両かご４０，４２のかご扉（不図示）が閉じられていることを条件に、かご位置調整モータ４７Ｂを駆動制御することでかご間隔Ｄの調整を行う。副制御装置８０は、図３に示すように、ＣＰＵ８２とＣＰＵ８２に接続されたＲＯＭ８４およびＲＡＭ８６を有している。ＲＯＭ８４は、ＣＰＵ８２が実行する各種プログラムや各種の情報が記憶されたテーブルを記憶領域に格納している。
【００３９】
ＲＯＭ８４は、図４（ｂ）に示すように、かご間隔調整テーブル８４０を有する。かご間隔調整テーブル８４０は、上述したＩＤ番号（ＩＤ＝００１，００２，００３，…）に、かご位置調整モータ４７Ｂの出力軸に取り付けられたロータリエンコーダ４７Ｃの目標回転角（ｅ１，ｅ２，ｅ３，…）を関連付けて記憶したテーブルである。
【００４０】
かご間隔調整テーブル８４０における各目標回転角（ｅ１，ｅ２，ｅ３，…）は、上述したデータ取得運転の際に記録される。データ取得運転では、両かご４０，４２におけるかご床４０Ｆ，４２Ｆの位置が各階の基準着床位置に一致する状態のときにロータリエンコーダ４７Ｃが出力する各出力値（回転角）をかご間隔調整テーブル８４０に目標回転角（ｅ１，ｅ２，ｅ３，…）として記録される。
【００４１】
ここで、「かご間隔」とは、下かご４２のかご床４２Ｆと上かご４０のかご床４０Ｆとの間の上下方向における距離（Ｄ）を意味し、昇降テーブル７４０の同一ＩＤ番号における両かご４０，４２の目盛値の差分の絶対値に相当する距離である。すなわち、ＩＤ＝００１において、上かご４０の目盛値ＵＸ１と下かご４２の目盛値ＬＸ１の差分の絶対値が上述したかご間隔に相当する。
【００４２】
主制御装置７０から両かご４０，４２のかご間隔調整指令を受け取ると、副制御装置８０はかご間隔調整テーブル８４０から対応する目標回転角（ｅ１，ｅ２，ｅ３，…）を読み出す。そして、副制御装置８０は、ロータリエンコーダ４７Ｃからの出力値（回転角）が、読み出した回転角と一致するまで、かご位置調整モータ４７Ｂを回転駆動させ、両かご４０，４２を相対的に上下動させる。これにより、かご間隔Ｄが、上下二つの目的階の階高に合致したかご間隔に調整される。
【００４３】
ところで、外かご枠３０を吊り下げている主ロープ２６や、両かご４０，４２を吊り下げているかご間隔調整ロープ４９には伸縮性があるため、例えば、着床ゾーン内に着床してかご扉（不図示）を開いているにも関わらず両かご４０，４２内で乗客が飛び跳ねる、或いは、多数の乗客が一度に乗降するなどの外的要因によって両かご４０，４２が振動して着床ゾーンを逸脱する場合がある。両かご４０，４２が静止している、すなわち、振動していないときはともかく、このように上下に振動している場合には、両かご４０，４２のかご位置を読取ユニット６４，６６によって正確に測定することができない。
【００４４】
一方、両かご４０，４２の振動が収束すれば両かご４０，４２の位置を正確に測定できるものの当該振動が収束するまで両かご４０，４２の位置を正確に把握できないためダブルデッキエレベータ１０の円滑な運転が阻害されるおそれがある。
【００４５】
そこで、本実施形態では、両かご４０，４２が振動しているか否かにかかわらず両かご４０，４２の着床位置を以下に示す測定方法を用いて推定することとしている。
【００４６】
両かご４０，４２の着床位置の測定のため、副制御装置８０のＲＡＭ８６は磁気スケール６０の読み取った目盛値をかご位置データとして記憶する記憶領域等を有しており、ＣＰＵ８２が各種制御プログラムを実行する際に用いるワークメモリとして機能する。
【００４７】
ＲＡＭ８６は、図４（ｃ）に示すように、読取ユニット６４が読み取った目盛値を記憶する上かご位置記憶領域８２２と、読取ユニット６６が読み取った目盛値を記憶する下かご位置記憶領域８２４とを有する。上かご位置記憶領域８２２には、読取ユニット６４が読み取った複数の目盛値がサンプリングされて読み取られた順に記憶される。同様に、下かご位置記憶領域８２４には、読取ユニット６６が読み取った複数の目盛値がサンプリングされて読み取られた順に記憶される。
【００４８】
ここで、上かご位置記憶領域８２２に記憶される目盛値の各々を、以下「上かご位置データ」といい、上かご位置記憶領域８２２に記憶されている複数の目盛値を、以下「一群の上かご位置データ」ということとする。同様に、下かご位置記憶領域８２４に記憶される目盛値の各々を、以下「下かご位置データ」といい、下かご位置記憶領域８２４に記憶されている複数の目盛値を、以下「一群の下かご位置データ」ということとする。
【００４９】
上記したように、副制御装置８０は、磁気スケール６０の読取ユニット６４，６６が読み取った目盛値（検出結果）をサンプリングして、複数の（上・下）かご位置データを含む一群の（上・下）かご位置データを、ＲＡＭ８６における（上・下）かご位置記憶領域８２２，８２４に記憶する。
【００５０】
次に、主制御装置７０による着床位置の推定処理について説明する。本実施形態では、上かご４０及び下かご４２が各々減衰振動しているものと仮定して、この減衰振動の中心位置を算出し、算出して得られた中心位置を各かご４０，４２の着床位置と推定してもよい。かご位置の推定方法は、上かご４０も下かご４２も同様であるので、下かご４２を例にとって説明する。
【００５１】
主制御装置７０は、下かご４２が目的階の着床ゾーン内に着床した後、レベルずれを検知したタイミングをトリガとして所定のデータ取得時間内における一群の下かご位置データを参照し、当該かご位置データにおける極大値Ｌmaxと極小値Ｌminのデータを取得しその平均値Ｌaveを下かご４２の中心位置Ｌｓとして推定する。データ取得時間は、例えば、０．５秒間というように固定された時間幅に設定してもよい。
【００５２】
また、下かご４２の振動周期は、主ロープ２６の外かご枠３０からそらせ車２４に至るロープ長や、かご間隔調整ロープ４９の下かご４２からかご位置調整シーブ４７Ａに至るロープ長、乗客等を含む下かご４２の総重量などの要因によって変化すると考えられる。上述した主ロープ２６やかご間隔調整ロープ４９のロープ長は、ＩＤ番号ごとに異なるので各ＩＤ番号における下かご４２の振動周期を各々実測して少なくとも１周期分の下かご位置データを取得するのに必要な時間を求め、求められた時間を各ＩＤ番号におけるデータ取得時間としてそれぞれ設定するようにしてもよい。また、振動周期の２周期分に相当する下かご位置データを取得するのに必要な時間をデータ取得時間に設定し、極大値と極小値とをそれぞれ２つずつ取得してその平均値を求めるものとしてもよい。
【００５３】
続いて、主制御装置７０のかご位置補正運転について図５を用いて説明する。図５は、主制御装置７０によるかご位置補正運転の流れを示すフローチャートである。図５に示すように、主制御装置７０は、各々の目的階の着床ゾーン内に両かご４０，４２が着床した状態でかご扉（不図示）を開いた後、レベルずれの発生を検知すると上述した推定処理によって上かご４０及び下かご４２の中心位置（Ｕｓ，Ｌｓ）を各々割り出して着床位置として推定する（ステップＳ１〜Ｓ３）。
【００５４】
そして、両かご４０，４２各々の目的階間の階高に対するかご間隔のずれ量δを以下の式（１）により求める（ステップＳ４）。ここで、かご間隔調整ロープ４９は、経年により伸びることはあるものの縮むことはないため式（１）に示すように両かご４０，４２各々の目的階における基準着床位置からのずれ量の差分の絶対値に基づいてかご間隔のずれ量δを算出することができる。以下の式（１）〜（５）において、Ｕｘｍ、Ｌｘｍは昇降テーブル７４０に記録された上かご４０、下かご４２の基準着床位置である。
【００５５】
δ＝｜｜Ｕｓ−Ｕｘｍ｜−｜Ｌｓ−Ｌｘｍ｜｜      （１）
そして、ずれ量δの値が閾値α（例えば、α＝１４ｍｍ）未満であれば、主制御装置７０は外かご枠３０を昇降させて両かご４０，４２の着床位置を補正する（ステップＳ５，Ｓ７）。なお、閾値αは、外かご枠３０の昇降のみで両かご４０，４２の着床位置を着床ゾーン内に補正することが可能な範囲の値に設定すればよく、本実施形態ではα≦２０ｍｍの範囲で設定すればよい。
【００５６】
ここで、ステップＳ７における外かご枠３０の補正距離の算出方法について説明する。外かご枠３０の補正距離δｈは、以下に示す式（２）のように、両かご４０，４２各々の目的階における基準着床位置に対するずれ量の平均値として求めることができる。
【００５７】
δｈ＝（｜Ｕｓ−Ｕｘｍ｜＋｜Ｌｓ−Ｌｘｍ｜）×１／２      （２）
また、補正距離δｈとロータリエンコーダ２２Ｃの補正回転角Δθとの間には以下に示す式（３）の関係が成立する。但し、式（３）において、駆動シーブ２２Ａの半径をＲとする。また、かご位置調整シーブ４７Ａが停止している状態において、駆動シーブ２２Ａを回転駆動したときの駆動シーブ２２Ａの回転速度をＶ３とし、両かご４０，４２のいずれか一方の昇降速度をＶ４としたときの速度比（ローピング比）ＴをＴ＝｜Ｖ３／Ｖ４｜とする。本実施形態では、Ｖ３＝Ｖ４であるためＴ＝１である。
【００５８】
Δθ＝δｈ／（Ｒ×Ｔ）      （３）
主制御装置７０は、上記式（３）の関係から算出される補正回転角Δθだけ駆動シーブ２２Ａを回転駆動して外かご枠３０を昇降させる。
【００５９】
このようにずれ量δの値が閾値α未満となる場合には外かご枠３０のみ昇降させることによって両かご４０，４２の着床位置が着床ゾーン内に収まるように基準着床位置からのずれ量を補正する。
【００６０】
一方、ステップＳ５においてずれ量δの値が閾値α以上であれば、主制御装置７０は一旦かご扉（不図示）を閉めた上で、かご間隔調整指令を副制御装置８０に送信して両かご４０，４２を相対的に昇降させることによりかご間隔Ｄを補正し（ステップＳ６）、さらに、外かご枠３０を昇降させることにより着床位置を補正する（ステップＳ７）。
【００６１】
ここで、ステップＳ６におけるかご間隔Ｄの補正距離算出方法について説明する。かご間隔Ｄの補正距離δγは、以下の式（４）に示すように上記式（１）に示すかご間隔Ｄのずれ量δの半分の距離として求めることができる。
【００６２】
δγ＝δ×１／２      （４）
また、補正距離δγと、ロータリエンコーダ４７Ｃの補正回転角δθとの間には以下に示す式（５）の関係が成立する。式（５）において、かご位置調整シーブ４７Ａの半径をｒとする。また、駆動シーブ２２Ａが停止している状態において、かご位置調整シーブ４７Ａを回転駆動したときのかご位置調整シーブ４７Ａの回転速度をＶ１とし、両かご４０，４２のいずれか一方の昇降速度をＶ２としたときの速度比（ローピング比）ｔをｔ＝｜Ｖ１／Ｖ２｜とする。本実施形態ではＶ１＝Ｖ２であるためｔ＝１である。
【００６３】
δθ＝δγ／（ｒ×ｔ）      （５）
主制御装置７０は、上記式（５）の関係から算出される補正回転角δθに基づいてかご位置調整シーブ４７Ａを回転駆動して両かご４０，４２を相対的に昇降させるかご間隔調整指令を副制御装置８０に送信することによりかご間隔Ｄの補正を行う。
【００６４】
このようにずれ量δの値が閾値α以上となる場合には外かご枠３０の上下方向位置およびかご間隔Ｄの双方を補正することで両かご４０，４２の着床位置が着床ゾーン内に収まるように補正する。但し、この場合には、一旦、両かご４０，４２のかご扉（不図示）を閉じる必要がありかご位置補正に要する時間が長くなる。
【００６５】
そのため、本実施形態では、ずれ量δの値が閾値α未満となる場合には外かご枠３０の上下方向位置の補正のみ行うこととしてかご位置補正を比較的短時間で行いつつ、ずれ量δの値が閾値α以上となる場合のみ上述した外かご枠３０及びかご間隔Ｄ双方の位置調整によってかご位置補正を行うこととしている。
【００６６】
本実施形態のダブルデッキエレベータ１０によれば、両かご４０，４２のうち少なくとも一方が着床ゾーンを逸脱して着床している場合に、両かご４０，４２の昇降路１２に対する上下方向位置、すなわち絶対位置に基づいて着床ゾーン内に収まるように両かご４０，４２の着床位置を補正することができる。このため、目的階の着床ゾーンを逸脱して両かご４０，４２のうち少なくとも一方が着床した場合でも、両かご４０，４２の着床位置が着床ゾーン内に収まるように確実に補正することができる。
【００６７】
上記第１実施形態では、かご位置調整モータ４７Ｂによってかご位置調整シーブ４７Ａを回転駆動することで両かご４０，４２の間隔を調整するトラクション式のダブルデッキエレベータを例に挙げて説明したが、ジャッキを用いて両かご４０，４２の間隔を調整するジャッキ式のダブルデッキエレベータであってもよい。この場合のダブルデッキエレベータ１００の構成について図６を用いて説明する。図６は、第２実施形態におけるダブルデッキエレベータ１００の概略構成を示す図である。
【００６８】
ダブルデッキエレベータ１００は、両かご４０，４２のかご間隔Ｄを変更する駆動方式が異なる点を除けば実質的にダブルデッキエレベータ１０と同じ構成である。よって、図６において、図１に示すダブルデッキエレベータ１０と実質的に同一となる構成については同じ符号を付して示すとともに適宜説明を省略する。
【００６９】
ダブルデッキエレベータ１００が備える外かご枠３０は、上かご４０よりも上方に設置された従動シーブ１０２を有し、この従動シーブ１０２に掛け渡されたかご間隔調整ロープ４９の両端に両かご４０，４２が各々吊り下げられている。
【００７０】
また、ダブルデッキエレベータ１００は、下かご４２を上下方向に移動可能に支持する油圧式移動ユニット（かご間隔調整手段）１１０を備える。この油圧式移動ユニット１１０は、シリンダ１１２Ａと、このシリンダ１１２Ａに対しその軸心方向に相対移動されるプランジャ１１２Ｂとからなる油圧式ジャッキ１１２（以下、単に「ジャッキ」と呼ぶ）と、このジャッキ１１２を駆動する油圧パワーユニット１２０とを含む。ジャッキ１１２は、軸心方向が上下方向となる姿勢で設けられており、プランジャ１１２Ｂの上端部が下かご４２の底部に連結される。
【００７１】
油圧パワーユニット１２０は、油圧ポンプ１２２と、油圧ポンプ１２２を作動させるポンプ用モータ１２４と、ポンプ用モータ１２４の出力軸と同軸上に設けられたロータリエンコーダ１２６とを含む。油圧ポンプ１２２は、開閉弁（不図示）が設けられた配管Ｐ１を介してジャッキ１１２のシリンダ１１２Ａに接続される。ポンプ用モータ１２４は油圧ポンプ１２２を作動させることにより、配管Ｐ１を通じて作動油をシリンダ１１２Ａに送出またはシリンダ１１２Ａから排出し、プランジャ１１２Ｂを上下方向に移動させる。この構成により、両かご４０，４２を相対的に上下動させることができる。このとき、油圧ポンプ１２２とシリンダ１１２Ａとの間を流動する作動油の油量に基づいてプランジャ１１２Ｂのシリンダ１１２Ａに対する上下方向の変位量が調整される。当該油量は、ロータリエンコーダ１２６からの出力値（回転角）に基づいて検出される。
【００７２】
ダブルデッキエレベータ１００が備える副制御装置１３０は、その設置位置が異なる点を除いて第１実施形態の副制御装置８０と同一の構成を備え、主制御装置７０のかご間隔調整指令に従って昇降テーブル７４０に記録される各目標回転角にロータリエンコーダ１２６からの出力値が一致するようにポンプ用モータ１２４の駆動を制御する。この第２実施形態においても、主制御装置７０は、両かご４０，４２が目的階に各々着床した状態でレベルずれを検知した場合に着床ゾーン内に収まるようにかご位置補正運転を実行することにより上記第１実施形態と同様の効果を得ることができる。
なお、上記第２実施形態のダブルデッキエレベータ１００では、かご間隔調整手段として油圧式移動ユニット１１０を用いているが、同ユニット１１０の代わりにボールねじ式ジャッキを用いてもよい。この場合には、副制御装置１３０がボールねじ式ジャッキを回転駆動する駆動モータの駆動を制御することにより上記第２実施形態と同様の効果を得ることができる。
【００７３】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００７４】
１０，１００    ダブルデッキエレベータ
２０    巻上機
２２Ａ    駆動シーブ
２２Ｂ    巻上機モータ
２２Ｃ，４７Ｃ，１２６    ロータリエンコーダ
２６    主ロープ
３０    外かご枠
４０，４２    かご
４０Ａ，４２Ａ    重量センサ
４０Ｆ，４２Ｆ    かご床
４４，４６    着床位置検出装置
４７Ａ    かご位置調整シーブ
４７Ｂ    かご位置調整モータ
４９    かご間隔調整ロープ（かご間隔調整手段）
６０    磁気スケール（かご位置検出手段）
６２    磁気テープ
６４，６６    読取ユニット
７０    主制御装置
８０    副制御装置
１１０    油圧式移動ユニット（かご間隔調整手段）
Ｓ１〜Ｓ７    ステップ
【図１】
2019167200.tif 000003
【図２】
2019167200.tif 000004
【図３】
2019167200.tif 000005
【図４】
2019167200.tif 000006
【図５】
2019167200.tif 000007
【図６】
2019167200.tif 000008